Podtech/llm-jp-corpus-v4-ja_patent huggingface dataset:
(57)【要約】【課題】    折りたたみ式携帯電話で物を挟み、又は引っ掛けることができるようにし、身体や身近なところに着けられるようにする。【解決手段】    携帯電話の開閉部の両端付近の接触部１に突起又はゴム等の摩擦の大きい物質を取り付け、携帯電話機を折りたたんだ際に挟み、または引っ掛かる。【選択図】    図２
2005160002.tif 000002
【特許請求の範囲】
【請求項１】
折りたたみ式携帯電話の開閉部に突起、又はゴム等の摩擦の大きい物質を取り付け、携帯電話で物を挟むことができるようにする補助機構
【請求項２】
突起又はゴム等の摩擦の大きい物質の代わりにボタン等を利用し、携帯電話の開閉部を固定できるようにした請求項１の補助機構
【請求項３】
携帯電話のカバーに取り付けた請求項１の補助機構
【発明の詳細な説明】
【発明の詳細な説明】
【技術分野】
【０００１】  本発明は、折りたたみ式携帯電話の開閉部に突起又は摩擦の大きい物質を取り付け、携帯電話で物を挟めるようにするための補助機構である。また、本発明は、常時携帯する携帯電話機をポケットやバッグ等に入れずに、身につけ又は身近なところに付けておくための補助機構である。
【背景技術】
【０００２】  従来、折りたたみ式携帯電話は簡単に開閉できることを前提としていたため、折りたたんだ際、物を挟むことができなかった。
【発明を実施するための最良の形態】
【０００３】  本発明は、折りたたみ式携帯電話で物を挟むことを可能にする補助機構で、それを図面について説明すれば、携帯電話の開閉部の両端付近の接触部１に突起、又はゴム等の摩擦の大きい物質を取り付けたものである。
【発明の効果】
【０００４】  このようにすれば、突起又はゴム等の摩擦の大きい物質が、携帯電話を折りたたんだ際に間の物を挟み、かつ簡単には外れなくすることが可能になり、携帯電話を身につけておくことができ便利である。
また、突起、又はゴム等の摩擦の大きい物質の形状をフック等の引っ掛かる形にすることにより、携帯電話を身近なところに掛けておくことも可能である。
【図面の簡単な説明】
【図１】折りたたみ式携帯電話機を開いた状態の平面図である
【図２】当該補助機構を用い、物を挟んでいる横視図である
【符号の説明】
１  接触部
２  液晶画面
３  ヒンジ部
【図１】
2005160002.tif 000003
【図２】
2005160002.tif 000004
(57)【要約】【課題】デジタル写真の撮影において同じような被写体が連続する場合、撮影後の整理が困難であり、特に調査などを行うための撮影においては正確な分類が重要な課題となっている。【解決手段】撮影に際してあらかじめ写真データとリンクさせるコンピュータなどを利用して入力した撮影データを、同時にデジタルカメラに記憶し、プリントアウト時にどちらのデータも同時にプリントアウトするか、従来のように写真データのみをプリントアウトするかを選択し、同時にプリントする場合、整理が正確かつ迅速にできるようにするものである。【選択図】図１
2005160001.tif 000002
【特許請求の範囲】
【請求項１】
デジタルカメラで撮影するときに写真データとは別に入力する撮影データを同時に記録して、印刷時にそのデータを同時にプリントすること。
【発明の詳細な説明】
【技術分野】
【０００１】  本発明は、デジタルカメラによる撮影の際に同時に撮影データを記録し、プリントアウト時にその撮影データを同時に出力しようとするものである。また、プリントアウト時には同時に出力するかしないかを選択できるものとする。
【背景技術】
【０００２】  通常、カメラで多くの枚数を撮影したとき、プリントアウト後に記憶又は記録をたどった整理が必要である。【０００３】  さまざまな調査や工事現場のように同じような撮影状況が数多くある時、どの写真も似たような状況であり整理が非常に困難である。
【発明の開示】
【発明が解決しようとする課題】
【０００４】  デジタルカメラで撮影すると通常はデータにファイル番号が付される、多くの写真撮影を行った場合、このファイル番号と撮影時の記録とを照らし合わせて整理を行うこととなるが、同じような被写状況が連続する場合、整理は非常に困難である。【０００５】  本発明は、撮影データを同時に記録することによって、整理を格段に正確に迅速に行うことができるようにするものである。現在ではデジタルカメラのデータ保存量は格段に増えており、様々な情報を記憶することが可能になっている。
【課題を解決するための手段】
【０００６】  本発明が提案する課題を解決する手段は、デジタルカメラの撮影時にコンピュータなどを介してあらかじめ入力した撮影データを同時に別のファイルとして記憶し、プリントアウト時に被写データと撮影データを重ねてプリントアウトできるようにすることである。【０００７】  課題の解決の手段は、図１のフロー図のごとくであり、データがプリントされるイメージは図２のようなものである。実際に整理を行う場合は、図２のように１被写部分および２撮影データ部分を同時にプリントすることによって、この発明が目的とする正確かつ迅速な分類が可能である。
【発明の効果】
【０００８】  本発明を利用することにより、写真撮影後の整理を正確かつ迅速に行うことが可能になる。【０００９】  特に、似たような被写体が連続する調査写真などの場合、撮影後の正確な整理は重要な課題であり、これによって従来行われていた撮影時の黒板などによる添え書きが必要でなくなるばかりでなく、黒板部分が隠れるというようなこともなくなり、被写部分が増えることとなるので、より正確な現状の把握ができるようになる。【００１０】  また、降雨時などでも黒板が濡れて字が判別できないなどということも防ぐことができ、より正確な現状の撮影が可能となる。【００１１】  さらに、プリントアウト時にこのデータを付加するかどうかを選択することができるようにすることによって、インデックスプリントとして利用することも可能である。【００１２】  撮影データの入力はコンピュータあるいはＰＤＡのようなハンディ型記憶媒体を利用することとなる。ＰＤＡを使用する場合、直接撮影現場でのデータの入力が可能である。
【図面の簡単な説明】
【００１３】
【図１】本発明を利用した際のプリントアウトイメージ
【図２】本発明のフロー図
【図１】
2005160001.tif 000003
【図２】
2005160001.tif 000004
(57)【要約】      （修正有）【課題】ブーツ（シューズ）等でギヤチェンジするとき足首の上下運動で行っているギヤチェンジは足首に負担が大きく又ブーツ（シューズ）等に傷や汚れがつきやすかった。【解決手段】ブーツ（シューズ）のギヤチェンジ側のペダルのある部分に出っ張や突起物を設けて足首の運動負担を少なくしてギヤチェンジをスムーズに出来るようにして又ギズや汚れを付きにくくする。【選択図】図２
2005160597.tif 000002
【特許請求の範囲】
【請求項１】
主にオートバイの上下運動の伴うギヤ切替操作の必要のある左足つま先部右側にギヤ切替レバーを引っ掛け易い様に出っ張り又は突起物を設ける。
【発明の詳細な説明】
【技術分野】
【０００１】
本発明は、主にオートバイの上下運動に伴うギヤチエンジを容易に行い足首運動負担を少なくするもので有り又先端部にキズや汚れが付きにくくするもので有る。
【背景技術】
【０００２】
従来の、オートバイ運転時、ギヤチエンジする時は、足首を、チエンジペダルの下へ、入れる為に上下運動の負担が、大きかった又先端部にキズや汚れが付きやすかった。
【０００３】
又、現在、アメリカンタイプと呼ばれる、両足を、腰より、前に、投げ出す様な乗車体型を、取るオートバイ等は、足首が、伸び切った状態にあり足首運動負担が、大きかった。
【特許文献１】特開平１１−３２３６３２
【特許文献２】特開平７−１００００１
【発明の開示】
【発明が解決しようとする課題】
【０００４】
解決しようとする問題点は足首の上下運動で行っているオートバイのギヤ切替作等の負担を軽減しオートバイ乗車時の疲労を軽減する事である。
現在アメリカンタイプと呼ばれる両足を腰より前に投げ出す様な乗車体系を取るオートバイ等は足首が伸びきった状態になり易い為足首運動負担が大きい。
又、先端部にキズや汚れが付きやすい。
【課題を解決するための手段】
【０００５】
主にオートバイの上下運動の伴うギヤ切替操作の必要のある左足つま先部右側にギヤ切替レバーを引っ掛け易い様に出っ張り又は突起物を設ける。
【発明の効果】
【０００６】
主にオートバイの上下運動の伴うギヤ切替操作の必要のある左前部の内側外部出っ張りや突起物を設ける事により足指等の厚み分の足首の運動量を減らす事ができる。現在アメリカンタイプと呼ばれる両足を腰より前に投げ出す様な乗車体形を取る、オートバイ等は足首が伸びきった状態になり易い為足首運動負担が大きいので特に効果が得られると思われる。
【発明を実施するための最良の形態】
【０００７】
主にオートバイ乗車時のギヤ切替操作の必要のある左足前部の内側外部に後付又は靴底等と一体化した外側縁の厚みと同じにした出っ張り又は突起物を設ける出っ張りや突起物の大きさは約４ｃｍから６ｃｍ×１ｃｍから１.５ｃｍ位が適当であると思われ図２のギヤチェンジを出っ張り部分でギヤを上げていくと先端部分まで足首を下げなくてすむから負担が少なくてすむ。
【図面の簡単な説明】
【０００８】
【図１】（イ)はブーツの斜め横から見た図であり４は出っ張りの部分である。          （ロ）はシューズの上見た図で４は出っ張り部分である。
【図２】オートバイのギヤチエンジ部分の説明図である。
【符号の説明】
【０００９】
1    ブーツ本体
2    靴底
3    外側縁
4    出張、突起物
5    先端部
6    甲被
【図１】
2005160597.tif 000003
【図２】
2005160597.tif 000004
(57)【要約】【課題】  血管、胆管、気管、尿道等の生体内の管腔内において、各種の疾患により発生した管腔内狭窄を拡張して内腔を保持すると共に狭窄原因を抑制するためのステントについて、所望の薬液等を相当量容易に含浸させることができる液含浸性ステントを提供することを課題とする。【解決手段】  粉末冶金法により得られる、粒子間に多数空隙を有する多孔質金属材料からなり、周壁に細孔を有するほぼ円筒状に形成された、液含浸性ステント。【選択図】        なし【特許請求の範囲】
【請求項１】
粉末冶金法により得られる、粒子間に多数空隙を有する多孔質金属材料からなり、周壁に細孔を有するほぼ円筒状に形成された、
液含浸性ステント。
【請求項２】
請求項１のステントの多数空隙内に所要の薬液を含浸させた、薬液含浸ステント。
【発明の詳細な説明】
【技術分野】
【０００１】
本願発明は、血管、胆管、気管、尿道等の生体内の管腔内において、各種の疾患により発生する管腔内狭窄を拡張して内腔を確保すると共に狭窄原因を抑制するための液含浸性ステント及び薬液含浸ステントに関する。
【背景技術】
【０００２】
例えば、心臓の冠状動脈に生じた狭窄部を治療する方法として、バルーンを血管狭窄部に挿入して膨張させることにより狭窄部を拡張し、ついでバルーンを血管内から抜き出すＰＴＣＡ法（経皮経管的冠動脈形成術）が広く行われたが、一時的に狭窄部を拡張しても、その後再狭窄が発生する事実が多くの症例にみられた。
【０００３】
上記の再狭窄を抑制するため、拡張した狭窄部にステンレス鋼線コイルからなる円筒状ステントを留置する方法が行われたが、ステントにより拡張保持されている血管内壁に内膜肥厚増殖が起きて再び狭窄を生じる場合が多かった。
【０００４】
そこで、従来、アンギオペプチン、カプトプリル等の抗増殖剤を添加したポリグリコール酸、ポリウレタン、ポリエチレン等のポリマー溶液を、ステントを構成するステンレス鋼線の表面に噴霧、浸漬等によりコーティングしたもので、該ステントを血管狭窄部に拡張留置することで抗増殖剤を狭窄部内壁面に放出させるものが提案された。
【０００５】
しかし、上記の薬剤コーティングステントでは、コーティング膜が極薄のため、挿入時にコーティング膜が剥落するおそれがあり、又薬剤の含有量が少いばかりでなく、薬剤の放出が十分に行われないため、所期の薬剤効果を達成できない欠点があり、しかもステントに薬剤を補充することができない経済的不利益もあった。
【特許文献１】特開２００３−３３４３９
【発明の開示】
【発明が解決しようとする課題】
【０００６】
本願第１発明は、所望の薬液等を相当量容易に含浸させることができる液含浸性ステントを提供し、本願第２発明は、薬液を十分放出すると共に管腔内に留置したままで必要薬液を補充することができる薬液含浸ステントを提供する。
【課題を解決するための手段】
【０００７】
そこで、本願第１発明は、
粉末冶金法により得られる、粒子間に多数空隙を有する多孔質金属材料からなり、周壁に細孔を有するほぼ円筒状に形成された、
液含浸性ステントを提案し、
本願第２発明は、
上記第１発明のステントの多数空隙内に所要の薬液を含浸させた、薬液含浸ステントを提案する。
【発明の効果】
【０００８】
本願第１発明の液含浸性ステントによれば、所望の薬液を容易に含浸させることができると共に、従来ステントよりも多量の薬液を含浸させることができるのである。
【０００９】
また、本願第２発明の薬液含浸ステントによれば、これを管腔内に挿入する際薬液をほとんど失うことなく所定位置まで挿入することができると共に、所定位置で薬液を継続的且つ円滑に放出し、所期の薬液効果を果すことができ、しかも薬液が使用しつくされた後、ステントを所定位置に留置したままで新たに薬液を補充することができる利点もえられるのである。
【発明を実施するための最良の形態】
【００１０】
本発明における上記「ステント」は、ステンレス鋼、ニッケル−チタン合金、チタン−アルミニウム合金、形状記憶合金、ロジウム、タンタル等の弾性材又は塑性材からなり、その形状は、円筒状コイル、ネットからなる円筒等のほぼ円筒状体で、その周壁に多数又は少数の細孔を設けたものである。
【００１１】
また、上記「薬液」には、血管等の内膜肥厚増殖抑制剤として、ラパマイシン、タキソール等、その他種々のものの溶液、抗ガン剤として、タキソール、タキソテール、トポテシン等のアルカロイド類、アドレアシン、ブレオ等の抗生物質、その他種々のものの溶液、抗血栓剤として、ヘパリン、ヒルジン、アルガトロバン、等その他種々のものの溶液がある。このほか狭窄の病因を治療する各種の薬液が使用される。
【実施例１】
【００１２】
本例は、冠状動脈のタテロームによる狭窄部に使用される液含浸性ステントで、３１６Ｌステンレス鋼を用いて粉末冶金法により得られた、粒子間に多数の空隙を有する多孔質弾性材をもって形成されたネット状円筒体である。
【００１３】
上記狭窄部の拡張施術に先だち、上例の液含浸性弾性ステントを内膜肥厚増殖抑制剤「ラパマイシン」の溶液中に所要時間浸漬し、それにより上記ステントの多数空隙内にラパマイシン溶液を十分に含浸させる。
【００１４】
上記のラパマイシン含浸弾性ステントを小径に圧縮した状態でカテーテル内に収納し、該カテーテルを冠状動脈内の狭窄部まで挿入し、そこで上記弾性ステントをカテーテル内から狭窄部内に押し出し、その押し出しにより該弾性ステントを弾性復元力により元の大径円筒形に拡径させ、それにより該拡径弾性ステントにより狭窄部を拡張し、その状態で拡張狭窄部の内周面に圧接留置する。
【００１５】
上記のように留置されたラパマイシン含浸ステントは、その空隙内に保有するラパマイシン溶液を徐々に放出して血管内膜に供給し、その肥厚増殖を抑制し、その再狭窄を防止する。
【００１６】
ステントに含有される薬液が放出しつくされたときは、該ステントを血管内に留置したまま、該ステントを血流から遮へいし、その状態で新たなラパマイシン溶液をステントに噴射してその空隙内に吸収させる。これを繰り返して長時間の狭窄部拡開を継続する。
【実施例２】
【００１７】
本例は、胆管のガンによる狭窄部に使用される液含浸性ステントで、タンタルを用いて粉末冶金法により得られた、粒子間に多数の空隙を有する多孔質塑性材をもって形成されたネット状円筒体である。
【００１８】
上記狭窄部の拡張施術に先だち、上例の液含浸性塑性ステントを抗ガン剤「タキソール」溶液中に所要時間浸漬し、それにより上記ステントの多数空隙内にタキソール溶液を十分に含浸させる。
【００１９】
上記のタキソール含浸塑性ステントを小径に縮小した状態で、収縮したバルーンの表面に装着し、該バルーン及びステントをカテーテル内に収納して胆管の狭窄部まで挿入し、そこでバルーン及びステントをカテーテル内から狭窄部内に押し出し、ついでバルーンを膨張させ、それにより塑性ステントを大径の円筒形に塑性変形させて狭窄部を拡張すると共に、該ステントを拡張狭窄部内周面に圧接留置させる。
【００２０】
上記の留置されたタキソール含浸ステントは、その保有するタキソール溶液を徐々に放出して胆管狭窄部のガン細胞に供給し、その細胞増殖を抑制する。
【００２１】
タキソール溶液のステントへの補充は、胆管を一時的に遮断した状態で新たなタキソール溶液をステントに放射して吸収させる。
(57)【要約】【課題】同期リラクタンス電動機のトルクが増加するとき，同期リラクタンス電動機のトルクを大きくすることができるように，従来の同期リラクタンス電動機のインナーロータをアウターロータタイプに変えたアウターロータ型同期リラクタンス電動機を提供する。【解決手段】まず，電磁鋼板で作った電動機のアウターロータに複数のフラックスバリヤを設ける。つぎに，固定子に巻線用の複数スロット，固定子の中心にアウターロータのシャフトを受ける軸受を設ける。そして，固定子のスロットに回転磁界を発生する巻線を巻き込む。以上のような構造でアウターロータ型同期リラクタンス電動機を使用するときは，アウターロータの磁気抵抗が発生することによって，アウターロータのシャフトが固定子の軸受の中で回転することで，アウターロータを回すアウターロータ型同期リラクタンス電動機を特徴とする。【選択図】    図１
2005160279.tif 000002
【特許請求の範囲】
【請求項１】
同期リラクタンス電動機のアウターロータ（１）にフラックスバリヤ（２）を設け，アウターロータの磁気抵抗を発生させるアウターロータ型同期リラクタンス電動機。
【発明の詳細な説明】
【発明の詳細な説明】
【技術分野】
【０００１】  この発明は，同期リラクタンス電動機のアウターロータに複数のフラックスバリヤを設け，アウターロータの磁気抵抗を発生させるアウターロータ型同期リラクタンス電動機に関するものである。
【背景技術】
【０００２】  従来，同期リラクタンス電動機はインナーロータにフラックスバリヤを設けるインナーロータ型同期リラクタンス電動機であった。
【発明が解決しようとする課題】
【０００３】これはつぎのような欠点があった。
（ア）  インナーロータ型同期リラクタンス電動機では，回転軸の慣性モーメントが小さく，電動機のトルクは弱かった。
（イ）  この電動機のトルクを増加するため，ギアなどの付加装置を付ける必要があった。
（ウ）  ギアなどの付加装置を付けることで電動機の運転騒音がうるさかった。
（エ）  ギアなどの装置を付加することで，電動機のトータル製造コストが高かった。
（オ）  インナーロータ型同期リラクタンス電動機のロータを扁平にすることができなかった。
本発明は，以上のような欠点を亡くすためになされたものである。
【課題を解決するための手段】
【０００４】  同期リラクタンス電動機のアウターロータ（１）に複数のフラックスバリヤ（２）を設け，アウターロータの磁気抵抗を発生させることによって電動機のアウターロータ（１）を回転する。
本発明は，以上の構成よりなるアウターロータ型同期リラクタンス電動機である。
【発明を実施するための最良の形態】
【０００５】  以下，本発明の実施の形態について説明する。
（ア）  電磁鋼板で作った同期リラクタンス電動機のアウターロータ（１）に複数のフラックスバリヤ（２）を設ける。
（イ）  固定子（３）に巻線用の複数スロット（４）を設ける。
（ウ）  固定子のスロット（４）に回転磁界が発生できる巻線（５）を巻き込む。
（エ）  固定子（３）の中心にアウターロータのシャフト（６）を受ける軸受（７）を設ける。
本発明は，以上のような構造でこれを使用するときは，アウターロータの磁気抵抗を発生させることで，アウターロータのシャフトが固定子の軸受の中で回転することで，アウターロータを回ればいい。
【発明の効果】
【０００６】  従来の同期リラクタンス電動機のインナーロータをアウターロータに変えることで，つぎの発明効果がある。
（ア）  アウターロータ型同期リラクタンス電動機の回転軸の慣性モーメントは大きくて，この電動機のトルクが増加する。
（イ）  電動機のトルクを大きくするので，従来のギアなどの付加装置が要らない。
（ウ）  ギアなどの付加装置による電動機の運転騒音が亡くなる。
（エ）  ギアなどの付加装置が要らないので，電動機のトータル製造コストが下がる。
（オ）  ユーザの仕様に合わせてアウターロータ型同期リラクタンス電動機のロータを扁平にすることができる。
【図面の簡単な説明】
【図１】本発明の分解斜視図である。
【図２】本発明の断面図である。
【符号の説明】
１．アウターロータ
２．フラックスバリヤ
３．固定子
４．スロット
５．巻線
６．アウターロータのシャフト
７．軸受
【図１】
2005160279.tif 000003
【図２】
2005160279.tif 000004
(57)【要約】      （修正有）【課題】外装にメモ欄を設けた３５ミリのフィルム外装を提供する。【解決手段】３５ミリフィルムの外装１に、一般の筆記具で書き込み可能なメモ欄２を設け、撮影後の必要事項を書き込めるようにする。なお、そのメモ欄２を複写式にして、メモ欄２の下書きとなるフィルム外装側のメモ欄をメモ欄写しとしてフィルム外装に残し、上書きのメモ欄２を控えとして従来のフィルム容器に張りつけるか、もしくは他の記録帳に貼りつけるなどして、メモ欄の控えとして用いるようにしてもよい。また、ＡＤＶＡＮＣＥＤ  ＰＨＯＴＯ  ＳＹＳＴＥＭと呼ばれているＡＰＳフィルムやブロニューフィルムにも同じような方法でメモ欄を設けてもよい。【選択図】図１
2005173520.tif 000002
【特許請求の範囲】
【請求項１】
従来の３５ミリフィルムのフィルム外装（１）の一画に、一般の筆記具で書き込み可能な空白のメモ欄（２）を設けて、撮影に関するメモ等を書き込めるようにしたフィルム外装。
【発明の詳細な説明】
【発明の詳細な説明】
【技術分野】
【０００１】  この発明は従来の３５ミリフィルムの外装に、撮影に関するメモ等を書き込めるように、メモ欄を設けたフィルム外装に関するものである。
【背景技術】
【０００２】  従来からカメラに容易に装填できる３５ミリフィルムがあった。
【発明が解決しようとする課題】
【０００３】  これは次のような欠点があった。
（イ）旅行などの後で複数の撮影済フィルムが溜ると、当該フィルムはいつ、どこで何を撮影したのか分からなくなることがあった。
（ロ）そのため撮影後の現像処理に、優先順位を付けることが困難だった。
（ハ）また、写真撮影後、他人に撮影済フィルムの処理を頼む場合、どのフィルムの何枚目に、どのような写真があるかを記録することが困難で、的確な処理依頼ができなかった。
（ニ）それを避けるめに、当該フィルムの外装にマジックインキなどで、直接メモを書き込むか、またはメモを書いた紙片を糊付けせねばならなかった。
本発明はこれらの欠点を除くためになされたものである。
【課題を解決するための手段】
【０００４】  フィルム外装（１）の機能を妨げない位置に、筆記具で書き込み可能な塗料を塗布するか、もしくは、紙や合成樹脂製等の用紙を張りつけるなどして、メモ欄（２）を設ける。
本発明は以上のような構成よりなるフィルム外装である。
【発明を実施するための最良の形態】
【０００５】  以下、本発明の実施について説明する。
（イ）フィルム外装（１）の機能を妨げない一画に、一般の筆記具で書き込み可能な塗料を塗布するか、もしくは、紙や合成樹脂製等の用紙を張りつけて、メモ欄（２）を設ける。
（ロ）なお図２に示すようにメモ欄（２）を複写式にして、上書きとなるメモ欄（２）を剥がして従来のフィルム容器に張りつけるなど、メモ欄の控えとして用い、下書きとなるフィルム外装側をメモ欄写し（３）として残してもよい。
【発明の効果】
【００６】  写真撮影後に複数の撮影済フィルムが溜っても、当該フィルムはいつどこで何を写したものか、何枚目に何が写っているか、などの必要事項を書き込むことができて、撮影後の処理が速やかに行えるようになる。
【図面の簡単な説明】
【図１】  本発明の斜視図である。
【図２】  本発明の他の実施例を示す斜視図である。
【符号の説明】
１  フィルム外装
２  メモ欄
３  メモ欄写し
【図１】
2005173520.tif 000003
【図２】
2005173520.tif 000004
(57)【要約】【課題】  「かな打鍵入力」に習熟したあと英字打鍵入力に、またこれとは逆に、ローマ字入力方式に習熟したあと「かな打鍵入力」に容易に習熟できるための手段を提供することである。【解決手段】  英字または「かな文字」を索引文字として整列配置し、パソコン・キーボード上の同一キーの表面に索引文字と共に刻印表示されている文字すなわち共存文字を索引文字に付属表示した表を提供する。【選択図】        図１
2005173519.tif 000002
【特許請求の範囲】
【請求項１】
英字または「かな文字」を索引文字（１）として整列配置し、パソコン・キーボード上の１のキーの表面に索引文字（１）と共に刻印表示されている対応文字（２）を該索引文字（１）に付属表示してなる英字・かな文字対応表。
【発明の詳細な説明】
【技術分野】
【０００１】  パソコンの打鍵入力方式には、かな入力方式とローマ字入力方式（英字打鍵入力方式）とがあるが、本発明は、１の打鍵入力方式に習熟したあと、その技能を活用してもう一方の打鍵入力方式を習得するのを容易にする手段となる一覧表に関するものである。
【背景技術】
【０００２】  一般に企業等では、業務上の必要性から「かな入力」と英字入力の両方ができることが望ましい。けれども１の入力方式を習得したあとは、他の入力方式を習得する気にはなれないものである。また、打鍵生産性等に問題があるローマ字入力方式に傾斜する傾向が著しい。
【発明の開示】
【発明が解決しようとする課題】
【０００３】  解決しようとする課題は、「かな打鍵入力」に習熟したあと英字打鍵入力に、またこれとは逆に、ローマ字入力方式に習熟したあと「かな打鍵入力」に容易に習熟できるための手段を提供することである。
【課題を解決するための手段】
【０００４】  本発明のよって立つ原理は、英字のすべてが「かな文字」と１のキー上に共存しているというキーボードの基本構造である。同一のキー上に刻印表示されている英字と「かな文字」は、自らが所在するキーのキーボード上における位置、その文字の打鍵に用いるべき指、打鍵時にホームポジションに残置させるべき指、打鍵するときの指の構え方といった打鍵特性がすべて同じである。
このことから、同一のキー上に共存する「かな文字」と英字については、どちらか一方の文字の入力に習熟していれば、共存している相手の文字（共存文字）が何であるかが分かれば、その打鍵特性を使って打鍵できる。従って解決の手段として必要なのは、「かな文字」と英字の共存関係を表した索引のし易い一覧表である。【０００５】「かな入力」に習熟していて英字の打鍵入力に不慣れな場合、アルファベット順に整列配置した英字の各各に、キー上で共存する「かな文字」を付属表示した一覧表があれば、目的の英字キーを迅速容易に見出して打鍵できる。
またローマ字入力に習熟していて「かなキー」の打鍵入力に不慣れな場合、五十音順に整列配置した「かな文字」の各各に、キー上で共存する英字か数字、又は特殊文字を付属した一覧表があれば、目的の「かなキー」を迅速容易に見出して打鍵できる。
このことから、英字または「かな文字」を索引文字（１）として整列配置し、パソコン・キーボード上の同一キーの表面に索引文字（１）と共に刻印表示されている文字すなわち共存文字（２）を索引文字（１）に付属表示してなる本発明が、課題を解決するための手段となるものである。
【発明の効果】
【０００６】  本発明を利用すれば、「かな入力」に習熟した人は英字の打鍵技能を容易に習得でき、ローマ字入力に習熟した人は「かなキー」の打鍵技能を容易に習得できる。もともとタッチタイピングの域にまで習熟していれば、あとから習得する打鍵法も自ずとタッチタイピングになる。これらは、打鍵特性が共通であることを利用した本発明がもたらす効果である。
【発明を実施するための最良の形態】
【０００７】  本発明を参照しながら打鍵入力すべき文字は乱順に現れるので、索引文字は本来備わった整列配置順にならべるのが最良である。さらに、索引文字は大きく、共存文字はそれより小さくすると索引がし易くなる。
また、自分にとって新しい入力方式をタッチタイピング打鍵技術とともに習得したいとする場合や、すでに習得しただけ技術が習熟のレベルに達していない場合を慮って、該対応表の各索引文字に、タッチタイピングの打鍵特性を図示したものを付属配置するのが最良の形態である。
【実施例１】
【０００８】  図１は、すでに「かなタッチタイピング」を身に付けた場合に用いる、英字を索引文字としてアルファベット順に整列配置し、各索引文字の傍らに、共存する「かな文字」を配置した本発明である。「かな文字」に比べて英字のサイズが大きいのは、全体のすっきりした見易さと索引のし易さを考慮したものである。【０００９】  さらに、対応させた文字の下に該「かな文字」のタッチタイピングに必要な４つの要素を図示してある。すなわち、キーボード上の両手指の構え方を図示し、打鍵に使用すべき指とその下に見える打鍵キーに同一の着色を施し、ホームポジションに残置すべき指とその下にあるキーには打鍵に使用すべき指とは異なる着色を施してある。
【実施例２】
【００１０】  図２は、ローマ字入力方式に十分習熟した場合に用いるもので、「かな文字」を索引文字として五十音順に整列配置し、その傍らに共存文字である英字・数字・特殊文字のいずれかを配置したものである。
【産業上の利用可能性】
【００１０】  英字の打鍵入力に習熟した人は、「かな文字」を索引文字とした本発明を利用することにより、又、「かな入力」に習熟したた人は、英字を索引文字とした本発明を利用することにより、教育訓練なしに第２の打鍵入力法を習得できる。
【図面の簡単な説明】
【００１１】
【図１】本発明の実施例を示した説明図である。
【符号の説明】
【００１２】  １  索引文字
２  共存文字
３  手指の構えを描きこんだキーボード図
４  索引文字と同一の文字の打鍵に使用すべき指
５  打鍵時にホームポジションに残置すべき指
【図１】
2005173519.tif 000003
【図２】
2005173519.tif 000004
【手続補正書】
【提出日】平成16年2月19日(2004.2.19)
【手続補正１】
【補正対象書類名】明細書
【補正対象項目名】０００９
【補正方法】変更
【補正の内容】
【０００９】  打鍵キー早見表のように、索引文字として予め整列配置された「かな文字」や英字の傍らに共存文字を追加配置しても、本発明の効果を得ることができる。
【手続補正２】
【補正対象書類名】明細書
【補正対象項目名】００１１
【補正方法】変更
【補正の内容】
【００１１】
【図１】英字を索引文字とした打鍵キー早見表の索引文字に共存文字を追加配置した本発明の実施例を示す説明図である。
【図２】「かな文字」を索引文字とした本発明の実施例を示す説明図である。
(57)【要約】      （修正有）【課題】  入力、出力双方の光軸線の交差部分に、可動式のミラーを設け、その位置を変更することにより、１つの装置で入力、出力の２つの機能を同時にまかなう入出力両用光学装置。【解決手段】光源１と液晶パネル２を基準に、レンズ群３を配置し、光軸を４とするプロジェクター光学系を設計する。次にＣＣＤと呼ばれるデジタルカメラ用光学読み取り素子装置５と、その光軸６を先述のプロジェクター光学系の光軸４と交差させる形で配置する。さらにそれぞれの光軸線４、６の交差部に可倒式ミラー７を配置し、その位置の変更により、入出力の２つの機能を１つの装置で実現することをその特徴とする。【選択図】図１
2005173514.tif 000002
【特許請求の範囲】
【請求項１】
光出力用の光学系の光軸線（４）と、光入力用の光学系の光軸線（６）の交差部に可動ミラー（７）を配置し、その位置を変更することで、１つの装置で入力と出力２つの機能を同時にまかなう入出力両用光学装置。
【発明の詳細な説明】
【発明の詳細な説明】
【技術分野】
【０００１】  この発明はデジタルカメラに代表される、データ入力光学系と、データプロジェクターに代表されるデータ出力光学系の双方を、可動式のミラーの設置によって１つ装置で同時にまかなう光学装置に関するものである。
【背景技術】
【０００２】  従来は携帯電話などの小型コンピューターに、デジタルカメラとデータの投影装置を組み込む際には、個々の装置を別々に搭載していた。そのため容積を大きく取っていた。
【発明が解決しようとする課題】
【０００３】  これには次のような欠点があった。
イ．携帯電話や小型パーソナルコンピューター（パームトップコンピュータ）にデジタルカメラとデータプロジェクター（投影装置）を同時に内臓すると、体積を大きくとらねばならない。そのため大きくなってしまい、携帯性が悪い。
ロ．カメラとプロジェクターにそれぞれ専用のレンズ群を使用すると、単純に倍のコストがかかり、コスト面で不利であった。
【問題を解決するための手段】
【０００４】  データプロジェクター用の光源（１）と液晶パネル（２）を基準に、レンズ群（３）を配置し、プロジェクター光学系を設計する。そのときの出力用の光軸線は（４）となる。次にＣＣＤと呼ばれるデジタルカメラ用光学読み取り素子装置（５）と、その光軸である、入力用の光軸線（６）を先述のプロジェクター光学系の光軸（４）と交差させる形で配置する。さらにそれぞれの光軸線（４）（６）の交差部に可動式ミラー（７）を配置し、ばね（８）により、図の位置に固定する。その後、そのばねで固定されたミラーを動かすレバー（９）を設ける。そして、ミラーの位置調整のための可動式ミラーの回転軸（１０）と固定装置（１１）を設置する。本発明は以上の構成よりなる、入出力両用光学装置である。
【発明を実施するための最良の形態】
【０００５】イ．データプロジェクター用として理想的な光源（１）を設置する、次にその出力用の光軸線（４）に中心を合わせて液晶パネル（２）を設置する。次に、レンズ群（３）も光軸線にあわせて配置し、プロジェクター光学系を設計する。
ロ．ＣＣＤと呼ばれるデジタルカメラ用光学読み取り素子装置（５）を、その出力用の光軸線（６）が先述の出力用の光軸線（４）と交差するように配置する。
ハ．さらにそれぞれの光軸線（４）（６）の交差部に可動式ミラー（７）を配置し、ミラーの回転軸（１０）によって回転できるようにする。
ニ．ばね（８）をそのミラー（７）を押さえる形で設置し、そして、ちょうど、レンズ群（３）からの光軸線（４）が、うまく素子装置（５）の光軸線（６）に重なって反射される位置で固定されるように、固定装置（１１）を設置する。
ホ．可動式ミラー（７）をばね（８）に逆らって回転移動できるようにレバー（９）を設置する。
本発明は以上の構成よりなっている。
本発明を使用するときには次のようにして映像データの入出力が行われる。
可動式ミラー（７）がばね（８）と固定装置（１１）によって、図１の位置に常に固定されている。このときはレンズ群（３）より入射した光は可動式ミラー（７）によって反射し、光学読み取り素子装置（５）に届く。このときこの光学系は、カメラの映像入力装置として機能する。次に、データープロジェクターとして使用する場合は、図−２のようにミラー（７）をレバー（９）で押すことで動かし、光源からの光軸線（４）からそらせる形にする。光源装置（１）を発光させ、液晶パネル（２）に表示をさせると、その光はレンズ群（３）を通って外部に照射される。そして壁面等に結像された情報が、使用者に認識される。つまり、ミラー（７）の位置の違いが、この装置の用途を入力装置の光学系と、出力装置の光学系に変化させる構造となっている。
【発明の効果】
【０００６】  本発明を使用することにより、カメラ機能を内臓したコンピューターに、少しの構造変更と、体積増加で、データプロジェクターの機能を付加させることができる。それは、携帯電話やモバイルなどの小型コンピューターが、白い壁もしくは板のあるところでという制限はあるにしても、大型で視認性のよいモニターを手に入れることになる。しかも、最近必ずといってよいほど携帯端末に内臓されるようになった、デジタルカメラの光学系の一部分を使用することで、少ない追加コストでの量産が可能なのだ。また、もうしばらくすれば実用化されるであろう、実際のキーボードなしでの高速入力を可能にする仮想キーボードと組み合わせることで、携帯電話が、今までのインターフェイス（仲介部分）の不完全さから不可能だった高度な処理を実現し、パーソナルコンピューティングの領域まで飛躍的に活動領域を広げることにつながるだろう。
【図面の簡単な説明】
【図１】本製品の入力光学系の状態の斜視図
【図２】本製品の出力光学系の状態の斜視図
【符号の説明】
１  光源
２  液晶パネル
３  レンズ群
４  出力用の光軸線
５  光学読み取り素子装置（ＣＣＤ）
６  入力用の光軸線
７  可動式ミラー
８  ばね
９  レバー
１０  可動式ミラーの回転軸
１１  固定装置
【図１】
2005173514.tif 000003
【図２】
2005173514.tif 000004
(57)【要約】【課題】  会社内の会議、プレゼンテーションあるいは、商業店舗または建造物のガラスを活用して宣伝広告等、一般家庭のテレビ、ＤＶＤ、パソコン等の映像を、プロジェクターから映し出す乳白色半透過半反射フィルム及びスクリーン板を低価格で提供する。【解決手段】  ポスター等に使用目的に製品化された白上質紙の表裏または片面に樹脂層をコーティングした耐水性、耐候性、印刷適性、加工性、寸法安定性、紙質強度、焼却が簡単等、優れた合成紙の樹脂層を剥離することにより、または白上質紙を除去することにより、乳白色半透過半反射の樹脂層フィルムを作ることができる。フィルムを透明なアクリル板またはガラス板に接着剤で接着するか、または２枚の透明なアクリル板に挟み込んでアクリル板の周囲を固定した、乳白色半透過半反射スクリーン板となる。【選択図】  図１
2005173517.tif 000002
【特許請求の範囲】
【請求項１】
ポスター等の使用目的に、製品化された合成紙の上質紙の表または裏の樹脂層を剥離する事で出来た、乳白色半透過半反射を有していることを、特徴とするスクリーン用樹脂層フィルム。
【請求項２】
請求項１の上質紙の表または裏の樹脂層を剥離することで、樹脂層に上質紙の残りが附着して、表面に微妙な凹凸が形成されることを、特徴とする請求項１に記載にスクリーン用フィルム。
【請求項３】
請求項１に記載のスクリーン用樹脂層フィルムを、接着剤を介して光透過性の板状体に接着してなるスクリーン板。
【請求項４】
請求項１に記載のスクリーン用樹脂層フィルムを、光透過性の板状体２枚で挟み込み、アクリル板の周囲を接着剤で固定してなるスクリーン板。
【発明の詳細な説明】
【技術分野】
【０００１】  合成紙にコーティングされたポリオリフィン系樹脂層を剥離したスクリーン用フィルムは、ガラスやアクリル板といった光透過性の板状体に張り付けされまたは２枚のアクリル板に挟み込んで周囲を固定した乳白色半透過半反射スクリーン板はプロジェクターで文字情報や映像を投影して、企業の会議、説明のため又は装飾用、宣伝用に使用される。
【背景技術】
【０００２】  プロジェクター用スクリーンは反射型が多く、ビニール製または紙の材質で作られ、投影する際に暗くしないと見え難い欠点があった。半透過半反射のスクリーンに使用するシートまたはフィルムは、開発製造することで実現できたが、開発投資、製造設備投資、材料投資等、製品化するためのロット数が膨大で、スクリーン１枚当たりのコストが高く消費者に採用され難かった。
【発明の開示】
【発明が解決しようとする課題】
【０００３】  従来の技術を解決するために、汎用を目的として製品化された上質紙の表裏に樹脂層をコーティングした合成紙の樹脂層を剥離して、乳白色半透過半反射スクリーン用フィルムを低価格で提供することにある。
【課題を解決するための手段】
【０００４】  採用した手段は、上質紙の表裏に樹脂層をコーティングした合成紙である日本製紙株式会社の製品名オーパー紙製品番号ＭＭＷ＃８０〜＃２２０及びＦＦＷ＃８０〜＃２２０の樹脂層を剥離してできたポリオレフィン系樹脂層を、透明なアクリル板またはガラス板に接着するか、２枚のアクリル板で挟み込んで映像を投影することで、投影側及び背面側３６０度から見ても原画に忠実な画像を、再現することができる半透過半反射スクリーン板ができる。
【発明の効果】
【０００５】  汎用品として製品化された合成紙の樹脂層を剥離して、乳白色半透過半反射フィルムとして透明なアクリル板に接着するか、２枚のアクリル板に挟み込むことにより、極めて低価格で半透過半反射スクリーンを作ることができる。
【発明の実施するための最良の形態】
【０００６】  図１のように日本製紙株式会社のオーパー合成紙５から剥離したポリオレフィン系樹脂層１の厚さは１５μｍ程度であり、乳白色の半透過半反射フィルムで可視光の透過率は約７０％である。剥離した時に、上質紙２の微細な凹凸があり、光が散乱することで映像の視認性を高める効果がある。
【０００７】  図２のように合成紙から剥離した樹脂層１を透明な２枚のアクリル板３に挟みこんで、アクリル板３の周囲を接着剤４で固定することで、半透過半反射スクリーン板ができる。
【０００８】  図３のように合成紙から剥離した樹脂層１を、透明なアクリル板３に接着剤４で接着することで半透過半反射スクリーン板ができる。
【０００９】  図４のように合成紙から剥離した樹脂層１を、アクリル板３に挟みこみ接着剤４で接着したスクリーン板を立てて置きプロジェクターから投影することにより、投影側及び背面側に映像が３６０度から見えて、映像を再現することができる乳白色半透過半反射スクリーン板ができる。
【図面の簡単な説明】
【００１０】
【図１】  実施例６に係る上質紙にコーティングされた樹脂層を剥離した模式図である。
【図２】  実施例７に係る剥離した樹脂層を２枚のアクリル板に挟みこんでアクリル板を固定したスクリーン板の断面図である。
【図３】  実施例８に係る剥離した樹脂層を透明なアクリル板に接着したスクリーン板の断面図である。
【図４】  実施例９に係る乳白色半透過半反射スクリーン板を用いたプロジェクターの模式図である。
【符号の説明】
【００１１】    １  ポリオレフィン系樹脂層
２  上質紙
３  アクリル板
４  接着剤層
５  合成紙
【図１】
2005173517.tif 000003
【図２】
2005173517.tif 000004
【図３】
2005173517.tif 000005
【図４】
2005173517.tif 000006
(57)【要約】【課題】原稿読取装置の下面にシート材の幅よりも大きな幅で凹形状のスペースを設け、そのスペースにプロセスカートリッジや反転パスの一部を収納することにより、高さを低く抑えることができる画像形成装置を提供すること。【解決手段】原稿読み取り装置を備えた画像形成装置において、画像読取装置の下面にプロセスカートリッジ又はシートの幅よりも大きな幅で凹形状のスペースを設ける。前記スペースにプロセスカートリッジの一部を収納する。又、スペースに排紙トレイの一部を収納する。前記スペースに紙パスの一部を収納する。紙パスはシート材を反転搬送する紙パスである。【選択図】図１
2005173285.tif 000002
【特許請求の範囲】
【請求項１】
原稿読み取り装置を備えた画像形成装置において、
画像読取装置の下面にプロセスカートリッジ又はシートの幅よりも大きな幅で凹形状のスペースを設けたことを特徴とする画像形成装置。
【請求項２】
前記スペースにプロセスカートリッジの一部を収納することを特徴とする請求項１記載の画像形成装置。
【請求項３】
前記スペースに排紙トレイの一部を収納することを特徴とする請求項１又は２記載の画像形成装置。
【請求項４】
前記スペースに紙パスの一部を収納することを特徴とする請求項１又は２記載の画像形成装置。
【請求項５】
前記紙パスはシート材を反転搬送する紙パスであることを特徴とする請求項４記載の画像形成装置。
【発明の詳細な説明】
【技術分野】
【０００１】
本発明は、電子写真装置、静電記録装置、レーザビームプリンタ等の画像形成装置に関するものである。
【背景技術】
【０００２】
従来、電子写真プロセスを用いた画像形成装置は、図３及び図４に示すように構成されている（例えば、特許文献１参照）。
【０００３】
図３及び図４は従来例を示す画像形成装置である。
【０００４】
図３において、１０１は従来例を示す画像形成装置、１０２は原稿読取装置で、該原稿読取装置１０２は図３に示すように箱形状を成している。１０３はシート材を収納する給紙カセットで、前記シート材をその内部に積載し、矢印Ａ方向に前記画像形成装置１０１に着脱される。１０４はオートシートフィーダで前記画像読取装置１０２に原稿を搬送し、前記画像読取装置１０２により原稿を読み取ることが可能である。
【０００５】
又、図４において従来の画像形成装置の構成を説明する。
【０００６】
図４は従来の画像形成装置の内部機構の一部を示すものである。図４において、１０５はプロセスカートリッジ、１０６はシート材を反転する反転パスである。
【０００７】
以上のように従来の画像形成装置においては、箱形状を成した前記原稿読取装置１０２が前記プロセスカートリッジ１０５や前記反転パス１０６の上に配置されている。
【０００８】
【特許文献１】特開２００１−１５６９９８号公報
【発明の開示】
【発明が解決しようとする課題】
【０００９】
しかしながら、上記従来例においては、前記プロセスカートリッジ１０５や反転パス１０６の上部に箱型を成した前記原稿読取装置１０２が設置され、画像形成装置全体の高さが高くなるという欠点があった。
【００１０】
本発明は上記問題に鑑みてなされたもので、その目的とする処は、原稿読取装置の下面にシート材の幅よりも大きな幅で凹形状のスペースを設け、そのスペースにプロセスカートリッジや反転パスの一部を収納することにより、高さを低く抑えることができる画像形成装置を提供することにある。
【課題を解決するための手段】
【００１１】
上記目的を達成するため、請求項１記載の発明は、原稿読み取り装置を備えた画像形成装置において、画像読取装置の下面にプロセスカートリッジ又はシートの幅よりも大きな幅で凹形状のスペースを設けたことを特徴とする。
【００１２】
請求項２記載の発明は、請求項１記載の発明において、前記スペースにプロセスカートリッジの一部を収納することを特徴とする。
【００１３】
請求項３記載の発明は、請求項１又は２記載の発明において、前記スペースに排紙トレイの一部を収納することを特徴とする。
【００１４】
請求項４記載の発明は、請求項１又は２記載の発明において、前記スペースに紙パスの一部を収納することを特徴とする。
【００１５】
請求項５記載の発明は、請求項４記載の発明において、前記紙パスはシート材を反転搬送する紙パスであることを特徴とする。
【発明の効果】
【００１６】
本発明によれば、原稿読取装置の下面にシート材の幅よりも大きな幅で凹形状のスペースを設け、そのスペースにプロセスカートリッジや反転パスの一部を収納することにより、画像形成装置の高さの低減、コストダウンといった効果が得られる。
【発明を実施するための最良の形態】
【００１７】
以下に本発明の実施の形態を添付図面に基づいて説明する。
【００１８】
図１及び図２を用いて本発明の実施の形態を説明する。
【００１９】
図１及び図２は本実施の形態に係る画像形成装置であり、これらの図において、１は画像形成装置、２は原稿読取装置で、該原稿読取装置２は、その下面にシート材の幅より大きな範囲で、凹形状のスペース２ａを備えている。３はシート材を収納する給紙カセットで、前記シート材をその内部に積載し、矢印Ａ方向より前記画像形成装置１に着脱される。４はオートシートフィーダで、該オートシートフィーダ４は、前記原稿読取装置２に原稿を搬送し、前記原稿読取装置２により原稿を読み取ることが可能である。５はプロセスカートリッジ、６はシート材を反転搬送するための反転パスである。
【００２０】
以上のような構成において、本実施の形態では、図２に示すように、前記原稿読取装置２が凹形状のスペース２ａを備えているため、前記プロセスカートリッジ５、前記反転パス６の一部を前記スペース２ａの内部の収めることが可能となり、前記画像形成装置１の高さを低減し、コストダウンを図ることが可能となる。
【産業上の利用可能性】
【００２１】
本発明は、電子写真装置、静電記録装置、レーザビームプリンタ等の画像形成装置に対して適用可能である。
【図面の簡単な説明】
【００２２】
【図１】本発明に係る画像形成装置の斜視図である。
【図２】本発明に係る画像形成装置の部分斜視図である。
【図３】従来の画像形成装置の斜視図である。
【図４】従来の画像形成装置の斜視図である。
【符号の説明】
【００２３】
１  画像形成装置
２  原稿読取装置
３  カセット
４  オートシートフィーダ
５  プロセスカートリッジ
６  反転パス
【図１】
2005173285.tif 000003
【図２】
2005173285.tif 000004
【図３】
2005173285.tif 000005
【図４】
2005173285.tif 000006